(57)【要約】【課題】対応付けられたＩＣカードとクレジットカードのいずれか一方のカードを紛失した場合、他方のカードで利用停止処理又は再発行手続などの手続可能なＩＣカードとクレジットカードの相互認証システム、ユーザ端末及びＩＣカードサーバ。【解決手段】ＩＣカード及びクレジットカードを読取ることが可能なユーザ端末と、このユーザ端末と通信可能に接続されたＩＣカードサーバ及びクレジットカードサーバとで構成される。ユーザ端末は、紛失したＩＣカードに対応付けられたクレジットカードを読込み、当該クレジットカードのクレジットカード情報及びパスワードをクレジットカードサーバに送信する。クレジットカードサーバから受信した本人確認結果がＯＫの場合、上記クレジット情報を上記ＩＣカードサーバに送信して対応するＩＣカード情報を受信して再発行手続など各種手続を行う。【選択図】  図２
2011248523.tif 000002
【特許請求の範囲】
【請求項１】
ＩＣカード及びクレジットカードを読取ることが可能なユーザ端末と、このユーザ端末と通信可能に接続されたＩＣカードサーバと、前記ユーザ端末と通信可能に接続されたクレジットカードサーバと、で構成されたＩＣカードとクレジットカードの相互認証システムであって、ＩＣカードとクレジットカードが対応付けられているおり、かつ、ＩＣカードを紛失した際、
前記ユーザ端末は、
当該端末に紛失したＩＣカードに対応付けられたクレジットカードを投入することにより、当該クレジットカードを読込む読込手段と、
前記ＩＣカードサーバ及びクレジットカードサーバと通信回線を介して送受信する通信手段と、
当該ユーザ端末の操作を案内し入力可能な操作表示手段と、
前記読取手段、通信手段及び操作表示手段を制御する制御手段と、
を備え、
前記制御手段は、
前記読込手段によって読込まれたクレジットカードのクレジットカード情報及び当該クレジットカードのパスワードを、前記クレジットカードサーバに本人確認のために送信する第１の送信工程と、
前記クレジットカードサーバから受信した本人確認結果がＯＫの場合、前記クレジット情報を前記ＩＣカードサーバに送信する第２の送信工程と、
この第２の送信工程により送信されたクレジット情報に基づいて前記ＩＣカードサーバからＩＣカードの情報を取得する情報取得工程と、
この情報取得工程によって取得された情報にＩＣカード拾得情報がある場合にＩＣカードの拾得情報を前記操作表示手段に表示する拾得情報表示工程と、
ＩＣカード拾得情報がない場合に紛失ＩＣカードに対する手続を前記操作表示手段に表示する手続選択画面表示工程と、
この手続選択画面表示工程から手続可能な紛失ＩＣカードに対する使用停止処理工程又は再発効処理工程と、を備え、
前記ＩＣカードサーバは、
前記ユーザ端末と通信回線を介して送受信する通信手段と、
ＩＣカードのＩＣカード情報及びＩＣカードに対応付けられたクレジットカードのクレジットカード情報を記憶する記憶手段と、
前記ＩＣカード情報又はクレジットカード情報の何れか一方の情報から他方の情報を検索可能な検索手段と、
前記ユーザ端末から受信した前記クレジットカード情報を元に、前記検索手段によって当該クレジットカードに対応付けられているＩＣカードのＩＣカード情報及び当該ＩＣカードの取得情報をユーザ端末に送信する送信工程と、を備え、
前記クレジットカードサーバは、
前記ユーザ端末と通信回線を介して送受信する通信手段と、
前記ユーザ端末から受信したクレジットカード情報及びパスワードを受信し、当該クレジットカードの本人認証を行う本人認証工程と、
この本人認証工程の結果を前記ユーザ端末に送信する送信工程と、
を、備えたことを特徴とするＩＣカードとクレジットカードの相互認証システム。
【請求項２】
ＩＣカード及びクレジットカードを読取ることが可能なユーザ端末と、このユーザ端末と通信可能に接続されたＩＣカードサーバと、前記ユーザ端末と通信可能に接続されたクレジットカードサーバと、で構成されたＩＣカードとクレジットカードの相互認証システムであって、ＩＣカードとクレジットカードが対応付けられているおり、かつ、クレジットカードを紛失した際、
前記ユーザ端末は、
当該端末に紛失したクレジットカードに対応付けられたＩＣカードを投入することにより、当該ＩＣカードを読込む読込手段と、
前記ＩＣカードサーバ及びクレジットカードサーバと通信回線を介して送受信する通信手段と、
当該ユーザ端末の操作を案内し入力可能な操作表示手段と、
前記読取手段、通信手段及び操作表示手段を制御する制御手段と、
を備え、
前記制御手段は、
前記読込手段によって読込まれたＩＣカードのＩＣカード情報及び紛失したクレジットカードのパスワードを、本人確認するために前記ＩＣカードサーバに送信する第１の送信工程と、
前記ＩＣカードサーバから受信した当該ＩＣカードに対応付けられたクレジットカードのクレジットカード情報及び当該クレジットカードのパスワードを前記クレジットカードサーバに送信する第２の送信工程と、
前記クレジットカードサーバから受信した本人確認結果がＯＫの場合、紛失クレジットカードに対する手続選択画面を前記操作表示手段に表示する手続選択画面表示工程と、
この手続選択画面からクレジットカードサーバに対する紛失クレジットカードの使用停止申請処理工程又は緊急連絡先情報取得処理工程と、を備え、
前記ＩＣカードサーバは、
前記ユーザ端末と通信回線を介して送受信する通信手段と、
ＩＣカードのＩＣカード情報及びＩＣカードに対応付けられたクレジットカードのクレジットカード情報を記憶する記憶手段と、
前記ＩＣカード情報又はクレジットカード情報の何れか一方の情報から他方の情報を検索可能な検索手段と、を備え、
前記ユーザ端末から受信した前記ＩＣカード情報を基に、このＩＣカードに対応付けられているクレジットカードのクレジットカード情報をユーザ端末に送信する送信工程を備え、
前記クレジットカードサーバは、
前記ユーザ端末と通信回線を介して送受信する通手段と、
前記ユーザ端末から受信したクレジットカード情報及びパスワードを受信し、当該クレジットカードの本人認証を行う本人認証工程と、
この本人認証工程の結果を前記ユーザ端末に送信する送信工程と、
を、備えたことを特徴とするＩＣカードとクレジットカードの相互認証システム。
【請求項３】
ＩＣカード及びクレジットカードを読取ることが可能なユーザ端末と、このユーザ端末と通信可能に接続されたＩＣカードサーバと、前記ユーザ端末と通信可能に接続されたクレジットカードサーバと、で構成されたＩＣカードとクレジットカードの相互認証システムのユーザ端末であって、
ＩＣカードとクレジットカードが対応付けられているおり、かつ、ＩＣカードを紛失した際、当該端末に紛失したＩＣカードに対応付けられたクレジットカードを投入することにより、当該クレジットカードを読込む読込手段と、
前記ＩＣカードサーバ及びクレジットカードサーバと通信回線を介して送受信する通信手段と、
当該ユーザ端末の操作を案内し入力可能な操作表示手段と、
前記読取手段、通信手段及び操作表示手段を制御する制御手段と、
を備え、
前記制御手段は、
前記読込手段によって読込まれたクレジットカードのクレジットカード情報及び当該クレジットカードのパスワードを、前記クレジットカードサーバに本人確認のために送信する第１の送信工程と、
前記クレジットカードサーバから受信した本人確認結果がＯＫの場合、前記クレジット情報を前記ＩＣカードサーバに送信する第２の送信工程と、
この第２の送信工程により送信されたクレジット情報に基づいて前記ＩＣカードサーバからＩＣカードの情報を取得する情報取得工程と、
この情報取得工程によって取得された情報にＩＣカード拾得情報がある場合にＩＣカードの拾得情報を前記操作表示手段に表示する拾得情報表示工程と、
ＩＣカード拾得情報がない場合に紛失ＩＣカードに対する手続を前記操作表示手段に表示する手続選択画面表示工程と、
この手続選択画面表示工程から手続可能な紛失ＩＣカードに対する使用停止処理工程又は再発効処理工程と、
を備えたことを特徴とするユーザ端末。
【請求項４】
ＩＣカード及びクレジットカードを読取ることが可能なユーザ端末と、このユーザ端末と通信可能に接続されたＩＣカードサーバと、前記ユーザ端末と通信可能に接続されたクレジットカードサーバと、で構成されたＩＣカードとクレジットカードの相互認証システムのユーザ端末であって、
ＩＣカードとクレジットカードが対応付けられているおり、かつ、クレジットカードを紛失した際、当該端末に、紛失したクレジットカードに対応付けられたＩＣカードを投入することにより、当該ＩＣカードを読込む読込手段と、
前記ＩＣカードサーバ及びクレジットカードサーバと通信回線を介して送受信する通信手段と、
当該ユーザ端末の操作を案内し入力可能な操作表示手段と、
前記読取手段、通信手段及び操作表示手段を制御する制御手段と、
を備え、
前記制御手段は、
前記読込手段によって読込まれたＩＣカードのＩＣカード情報及び紛失したクレジットカードのパスワードを、本人確認するために前記ＩＣカードサーバに送信する第１の送信工程と、
前記ＩＣカードサーバから受信した当該ＩＣカードに対応付けられたクレジットカードのクレジットカード情報及び当該クレジットカードのパスワードを前記クレジットカードサーバに送信する第２の送信工程と、
前記クレジットカードサーバから受信した本人確認結果がＯＫの場合、紛失クレジットカードに対する手続選択画面を前記操作表示手段に表示する手続選択画面表示工程と、
この手続選択画面からクレジットカードサーバに対する紛失クレジットカードの使用停止申請処理工程又は緊急連絡先情報取得処理工程と、
を、備えたことを特徴とするユーザ端末。
【請求項５】
ＩＣカード及びクレジットカードを読取ることが可能なユーザ端末と、このユーザ端末と通信可能に接続されたＩＣカードサーバと、前記ユーザ端末と通信可能に接続されたクレジットカードサーバと、で構成されたＩＣカードとクレジットカードの相互認証システムのＩＣカードサーバであって、
前記ユーザ端末と通信回線を介して送受信する通信手段と、
ＩＣカードのＩＣカード情報及びＩＣカードに対応付けられたクレジットカードのクレジットカード情報を記憶する記憶手段と、
前記ＩＣカード情報又はクレジットカード情報の何れか一方の情報から他方の情報を検索可能な検索手段と、を備え、
前記ユーザ端末から受信した前記ＩＣカード情報又はクレジットカード情報のいずれか一方のカード情報を元に前記検索手段により検索し、前記一方カード情報に対応付けられている他方のカード情報又はカードの取得情報をユーザ端末に送信する送信手工程と、
を、備えたことを特徴とするＩＣカードサーバ。
【発明の詳細な説明】
【技術分野】
【０００１】
ＩＣカードとクレジットカードを対応付けて利用しているとき、一方のカードを紛失した際の手続を円滑に行うことができる相互認証システム、ユーザ端末及びＩＣカードサーバに関する。
【背景技術】
【０００２】
クレジットカードの紛失時には、クレジットカード会社が定める所定の連絡先に速やかに連絡しなければならないが、外出先では連絡先がわからず、連絡が遅れることがある。また、ＩＣカード紛失時は、係員対応にて公的証明書などの提示により再発行手続を行うが、旅客、係員共に時間がかかっている。
【０００３】
この種のカード紛失又は盗難に伴う不正利用を阻止しカード利用サービスを継続して行う方法として主カードと予備カードを発行してサービスを継続すると共に紛失したカードの利用を無効化する方法が知られている（例えば、特許文献１参照。）。
【先行技術文献】
【特許文献】
【０００４】
【特許文献１】特開２００１−３３８１５１号公報（第６−７頁、図２）
【発明の概要】
【発明が解決しようとする課題】
【０００５】
しかしながら、上述した主カードと予備カードを発行する方法は、紛失時の再発行の手続が必要ないため継続してカードを利用できるという利点がある反面、利用頻度の少ないカードに対しても予備カードを発行する必要があり、発行コストが２倍になるという課題があり、普及するに至っていない。
【０００６】
本発明は、上記課題を解決するためになされたもので、紛失・盗難などの申告を自動化・時間短縮可能なＩＣカードとクレジットカードの相互認証システムを提供することを目的とする。
【課題を解決するための手段】
【０００７】
上記目的を達成するために、本発明の請求項１記載のＩＣカードとクレジットカードの相互認証システムは、ＩＣカード及びクレジットカードを読取ることが可能なユーザ端末と、このユーザ端末と通信可能に接続されたＩＣカードサーバと、前記ユーザ端末と通信可能に接続されたクレジットカードサーバと、で構成されたＩＣカードとクレジットカードの相互認証システムであって、ＩＣカードとクレジットカードが対応付けられているおり、かつ、ＩＣカードを紛失した際、前記ユーザ端末は、当該端末に紛失したＩＣカードに対応付けられたクレジットカードを投入することにより、当該クレジットカードを読込む読込手段と、前記ＩＣカードサーバ及びクレジットカードサーバと通信回線を介して送受信する通信手段と、当該ユーザ端末の操作を案内し入力可能な操作表示手段と、前記読取手段、通信手段及び操作表示手段を制御する制御手段と、を備え、前記制御手段は、前記読込手段によって読込まれたクレジットカードのクレジットカード情報及び当該クレジットカードのパスワードを、前記クレジットカードサーバに本人確認のために送信する第１の送信工程と、前記クレジットカードサーバから受信した本人確認結果がＯＫの場合、前記クレジット情報を前記ＩＣカードサーバに送信する第２の送信工程と、この第２の送信工程により送信されたクレジット情報に基づいて前記ＩＣカードサーバからＩＣカードの情報を取得する情報取得工程と、この情報取得工程によって取得された情報にＩＣカード拾得情報がある場合にＩＣカードの拾得情報を前記操作表示手段に表示する拾得情報表示工程と、ＩＣカード拾得情報がない場合に紛失ＩＣカードに対する手続を前記操作表示手段に表示する手続選択画面表示工程と、この手続選択画面表示工程から手続可能な紛失ＩＣカードに対する使用停止処理工程又は再発効処理工程と、を備え、前記ＩＣカードサーバは、前記ユーザ端末と通信回線を介して送受信する通信手段と、ＩＣカードのＩＣカード情報及びＩＣカードに対応付けられたクレジットカードのクレジットカード情報を記憶する記憶手段と、前記ＩＣカード情報又はクレジットカード情報の何れか一方の情報から他方の情報を検索可能な検索手段と、前記ユーザ端末から受信した前記クレジットカード情報を元に、前記検索手段によって当該クレジットカードに対応付けられているＩＣカードのＩＣカード情報及び当該ＩＣカードの取得情報をユーザ端末に送信する送信工程と、を備え、前記クレジットカードサーバは、前記ユーザ端末と通信回線を介して送受信する通信手段と、前記ユーザ端末から受信したクレジットカード情報及びパスワードを受信し、当該クレジットカードの本人認証を行う本人認証工程と、この本人認証工程の結果を前記ユーザ端末に送信する送信工程と、を、備えたことを特徴とする。
【０００８】
また、本発明の請求項２記載のＩＣカードとクレジットカードの認証システムは、ＩＣカード及びクレジットカードを読取ることが可能なユーザ端末と、このユーザ端末と通信可能に接続されたＩＣカードサーバと、前記ユーザ端末と通信可能に接続されたクレジットカードサーバと、で構成されたＩＣカードとクレジットカードの相互認証システムであって、ＩＣカードとクレジットカードが対応付けられているおり、かつ、クレジットカードを紛失した際、前記ユーザ端末は、当該端末に紛失したクレジットカードに対応付けられたＩＣカードを投入することにより、当該ＩＣカードを読込む読込手段と、前記ＩＣカードサーバ及びクレジットカードサーバと通信回線を介して送受信する通信手段と、当該ユーザ端末の操作を案内し入力可能な操作表示手段と、前記読取手段、通信手段及び操作表示手段を制御する制御手段と、を備え、前記制御手段は、前記読込手段によって読込まれたＩＣカードのＩＣカード情報及び紛失したクレジットカードのパスワードを、本人確認するために前記ＩＣカードサーバに送信する第１の送信工程と、前記ＩＣカードサーバから受信した当該ＩＣカードに対応付けられたクレジットカードのクレジットカード情報及び当該クレジットカードのパスワードを前記クレジットカードサーバに送信する第２の送信工程と、前記クレジットカードサーバから受信した本人確認結果がＯＫの場合、紛失クレジットカードに対する手続選択画面を前記操作表示手段に表示する手続選択画面表示工程と、この手続選択画面からクレジットカードサーバに対する紛失クレジットカードの使用停止申請処理工程又は緊急連絡先情報取得処理工程と、を備え、前記ＩＣカードサーバは、前記ユーザ端末と通信回線を介して送受信する通信手段と、ＩＣカードのＩＣカード情報及びＩＣカードに対応付けられたクレジットカードのクレジットカード情報を記憶する記憶手段と、前記ＩＣカード情報又はクレジットカード情報の何れか一方の情報から他方の情報を検索可能な検索手段と、を備え、前記ユーザ端末から受信した前記ＩＣカード情報を基に、このＩＣカードに対応付けられているクレジットカードのクレジットカード情報をユーザ端末に送信する送信工程を備え、前記クレジットカードサーバは、前記ユーザ端末と通信回線を介して送受信する通手段と、前記ユーザ端末から受信したクレジットカード情報及びパスワードを受信し、当該クレジットカードの本人認証を行う本人認証工程と、この本人認証工程の結果を前記ユーザ端末に送信する送信工程と、を、備えたことを特徴とする。
【０００９】
さらに、本発明の請求項３記載のユーザ端末は、ＩＣカード及びクレジットカードを読取ることが可能なユーザ端末と、このユーザ端末と通信可能に接続されたＩＣカードサーバと、前記ユーザ端末と通信可能に接続されたクレジットカードサーバと、で構成されたＩＣカードとクレジットカードの相互認証システムのユーザ端末であって、ＩＣカードとクレジットカードが対応付けられているおり、かつ、ＩＣカードを紛失した際、当該端末に紛失したＩＣカードに対応付けられたクレジットカードを投入することにより、当該クレジットカードを読込む読込手段と、前記ＩＣカードサーバ及びクレジットカードサーバと通信回線を介して送受信する通信手段と、当該ユーザ端末の操作を案内し入力可能な操作表示手段と、前記読取手段、通信手段及び操作表示手段を制御する制御手段と、を備え、前記制御手段は、前記読込手段によって読込まれたクレジットカードのクレジットカード情報及び当該クレジットカードのパスワードを、前記クレジットカードサーバに本人確認のために送信する第１の送信工程と、前記クレジットカードサーバから受信した本人確認結果がＯＫの場合、前記クレジット情報を前記ＩＣカードサーバに送信する第２の送信工程と、この第２の送信工程により送信されたクレジット情報に基づいて前記ＩＣカードサーバからＩＣカードの情報を取得する情報取得工程と、この情報取得工程によって取得された情報にＩＣカード拾得情報がある場合にＩＣカードの拾得情報を前記操作表示手段に表示する拾得情報表示工程と、ＩＣカード拾得情報がない場合に紛失ＩＣカードに対する手続を前記操作表示手段に表示する手続選択画面表示工程と、この手続選択画面表示工程から手続可能な紛失ＩＣカードに対する使用停止処理工程又は再発効処理工程と、を備えたことを特徴とする。
【００１０】
さらにまた、請求項４記載のユーザ端末は、ＩＣカード及びクレジットカードを読取ることが可能なユーザ端末と、このユーザ端末と通信可能に接続されたＩＣカードサーバと、前記ユーザ端末と通信可能に接続されたクレジットカードサーバと、で構成されたＩＣカードとクレジットカードの相互認証システムのユーザ端末であって、ＩＣカードとクレジットカードが対応付けられているおり、かつ、クレジットカードを紛失した際、当該端末に、紛失したクレジットカードに対応付けられたＩＣカードを投入することにより、当該ＩＣカードを読込む読込手段と、前記ＩＣカードサーバ及びクレジットカードサーバと通信回線を介して送受信する通信手段と、当該ユーザ端末の操作を案内し入力可能な操作表示手段と、前記読取手段、通信手段及び操作表示手段を制御する制御手段と、を備え、前記制御手段は、前記読込手段によって読込まれたＩＣカードのＩＣカード情報及び紛失したクレジットカードのパスワードを、本人確認するために前記ＩＣカードサーバに送信する第１の送信工程と、前記ＩＣカードサーバから受信した当該ＩＣカードに対応付けられたクレジットカードのクレジットカード情報及び当該クレジットカードのパスワードを前記クレジットカードサーバに送信する第２の送信工程と、前記クレジットカードサーバから受信した本人確認結果がＯＫの場合、紛失クレジットカードに対する手続選択画面を前記操作表示手段に表示する手続選択画面表示工程と、この手続選択画面からクレジットカードサーバに対する紛失クレジットカードの使用停止申請処理工程又は緊急連絡先情報取得処理工程と、を、備えたことを特徴とする。
【図面の簡単な説明】
【００１１】
【図１】ＩＣカードとクレジットカードの対応付けを説明する図。
【図２】本発明の実施例でＩＣカード紛失時のユーザ端末を使用したＩＣカードとクレジットカードの相互認証システムを示す図
【図３】ＩＣカード紛失時のユーザ端末処理フロー
【図４】本発明の実施例でクレジットカード紛失時のユーザ端末を使用したＩＣカードとクレジットカードの相互認証システムを示す図
【図５】クレジットカード紛失時のユーザ端末処理フロー
【発明を実施するための形態】
【００１２】
本発明は、ＩＣカードで構成された接触乗車券をクレジットカードを用いて駅に設置されたユーザ端末としての券売機で購入した場合などが該当し、そのＩＣカード又はクレジットカードのいずれかを紛失した際の再発行手続など各種手続を迅速に行うシステムに関する。以下、図面を参照して本発明の実施例を説明する。
【実施例１】
【００１３】
図１は、ＩＣカードとクレジットカードの対応付けを説明する図である。例えばＳｕｉｃａ（商標）などの乗車券（又は定期券）では、入金されている残額（ストアードフェア）が一定額以下になると、一定額自動的に入金（オートチャージ）することが可能で、その支払いをクレジットカードで行うことが可能である。このように、ＩＣカードとクレジットカードとは、対応付けて使用される。
【００１４】
すなわち、ＩＣカードには、氏名、生年月日、住所、電話番号その他乗車情報などが記録されており又は当該ＩＣカードを用いて当該ＩＣカードを管理する管理サーバにアクセスして当該情報を参照することが可能である。
【００１５】
一方、クレジットカードは、氏名、生年月日、住所、電話番号、パスワード及び利用情報などが記録されており又は当該クレジットカードを用いて当該クレジットカードを管理する管理サーバにアクセスして当該情報を参照することが可能である。
【００１６】
このように、ＩＣカードとクレジットカードには、共通する事項があり、ＩＣカードのＩＤと、対応するクレジットカードのＩＤをＩＣカードサーバ２０に登録することによりＩＣカードと対応するクレジットカードを対応付けしておくことが可能になる。
【００１７】
以下、このようにして対応付けられたＩＣカードとクレジットカードの何れか一方を紛失した場合の本実施例に係る処理を説明する。
【００１８】
図２は、本発明の実施例でＩＣカード紛失時のユーザ端末を使用したＩＣカードとクレジットカードの相互認証システムを示す図である。また、図３は、図２に示すＩＣカード紛失時のユーザ端末処理フローである。以下、これらの図を参照してユーザ端末１０を使用したＩＣカード５０とクレジットカード４０の相互認証システム（以下、システムと称する。）１００の構成及び動作を説明する。
【００１９】
本システム１００は、ユーザ端末１０と、当該ユーザ端末１０とネットワーク（通信回線）接続されたＩＣカードサーバ２０及びクレジットカードサーバ３０を有して構成される。
【００２０】
本実施例ではユーザ端末として券売機が用いられた場合を例に説明する。券売機１０は、駅に設置され、乗車券の発行又はスイカ（商標）などの非接触乗車券（ＩＣカード）への入金又は定期券の更新ができる。
【００２１】
券売機１０は、クレジットカード４０又はＩＣカード５０が投入口１１に挿入されるとこれを内部に取り込んで読取る読取手段、操作を案内する操作表示部（操作表示手段）１２及びＩＣカードサーバ２０及びクレジットカードサーバ３０と通信する通信手段を有する。
【００２２】
読取手段（図示しない）は無線通信による非接触読取装置又は接触読取装置の何れであってもよく、クレジットカード又はＩＣカードの内容を読取り書込みが可能である。
【００２３】
操作表示部１２は、操作案内する画面と操作案内に従って入力可能なタッチパネルなどの入力装置によって構成される。
【００２４】
通信手段は、ＩＣカードサーバ２０及びクレジットカードサーバ３０と送受信するための通信インターフェース部で、上位装置と接続するハードウェアとしてのコネクタ部分と、このハードウェアを介して通信を行う通信ソフトウェアによって構成される。券売機１０はこの通信インターフェース部を介して図示しない上位装置と接続され、この上位装置がネットワーク回線を介してＩＣカードサーバ２０及びクレジットカードサーバ３０に接続される。なお、図２に図示した例は上述した上位装置及びネットワーク回線を省略し、通信情報の流れを示している。
【００２５】
また、上述した読取手段、通信手段、操作表示部１２などは、これらを制御する制御手段によって制御される。なお、この制御手段は、ＣＰＵ（Central Processer Unit：中央処理装置）、メモリ及びこのメモリに組み込まれたプログラム（ソフトウェア）によって処理される。
【００２６】
以上の構成を元にして、紛失したＩＣカード５０に対応付けられたクレジットカード４０を券売機１０の投入口に挿入すると、当該クレジットカード４０が検知され（Ｓ１（読込手段）、図２（ａ））、当該クレジットカード４０の暗証番号（パスワード）の入力指示（Ｓ２）に基づいて当該暗証番号（パスワード）が入力されると（Ｓ２〜Ｓ４）、当該クレジットカード４０の情報がクレジットカードサーバ３０に送信される（Ｓ５（第１の送信工程）、図２（ｂ））。
【００２７】
クレジットカーサーバ３０は、入力されたクレジットカード情報と暗証番号により本人認証を行い、その本人認証結果を券売機１０に送信する（送信工程、Ｓ６、図２（ｃ））。
【００２８】
券売機１０は、クレジットカードサーバ３０から受信した本人確認がＯＫであれば（Ｓ７のＯＫ）、クレジットサーバ３０から受信したクレジットカード情報をＩＣカードサーバ２０に送信する（Ｓ８（第２の送信工程）、図２（ｄ））。
【００２９】
ＩＣカードサーバ２０は、券売機１０と通信可能に接続され、ＩＣカードのＩＣカード情報及びＩＣカードに対応付けられたクレジットカードのクレジットカード情報を記憶する記憶手段と、上記ＩＣカード情報又はクレジットカード情報のいずれか一方の情報から他方の情報を検索可能な検索手段を有して構成される。これらの機能は、ＣＰＵ（Central Processer Unit：中央処理装置）とメモリ（記憶手段）及びＩ／Ｏ（入出力手段）を有するいわゆるパーソナルコンピュータを用い検索可能なソフトウェアを搭載することにより達成することが可能であり、図２に示すＩＣカードサーバ２０は、正にこのようなパーソナルコンピュータで構成した場合を示してある。
【００３０】
ＩＣカードサーバ２０は、券売機１０から受信したクレジットカード情報を基に当該クレジットカードに対応するＩＣカード情報を検索し、検索された場合には、当該ＩＣカード情報を券売機１０に送信する（送信工程、図２（ｅ））。
【００３１】
券売機１０は、ＩＣカードサーバ２０から受信したＩＣカード情報を取得する（情報取得工程、Ｓ９）。この情報取得工程によって取得された情報にＩＣカード拾得情報があるか確認する（Ｓ１０）。この確認の結果、当該ＩＣカードの拾得情報が検索されれば（Ｓ１０の有り）、拾得情報画面を表示する（取得情報表示工程、Ｓ１１）。この拾得情報画面には、以下（１）に示す内容を表示する。
【００３２】
（１）「お客様が紛失されたＩＣカードが届いています。窓口で確認して下さい。」表示を行う。
【００３３】
ステップ１０に示すＩＣカード拾得情報検索の結果、ＩＣカード拾得情報が検索されなかった場合（Ｓ１０のなし）、紛失ＩＣカードに対する手続選択画面を表示する（手続選択画面表示工程、Ｓ１２）。
【００３４】
この手続選択画面において、「使用停止手続」釦が押下された場合（使用停止処理工程、Ｓ１４）、取得したＩＣカード情報を使用して紛失したＩＣカードを使用停止にする。
【００３５】
一方、上記手続選択画面において、「再発行手続」釦」が押下された場合（再発行処理工程、Ｓ１３）、取得したＩＣカード情報を使用して、以下に示す（１）〜（３）の手続を行うことができる。
【００３６】
（１）紛失したＩＣカードを使用停止にする。  
（２）定期券情報、入金情報等に基づき、利用者が再発行に必要な情報を入力すると、当該入力情報に基づいてＩＣカードの再発行を行う。  
（３）再発行に必要な手数料を徴収する。
【００３７】
続けて、利用履歴発行確認画面を表示する（Ｓ１５）。この利用履歴確認画面の表示内容を確認することによって、使用停止又は再発効されたＩＣカードが希望した通りに作成されているかを確認することができる（Ｓ１７）。
【００３８】
以上示した一連の処理が終了した場合は、券売機１０からクレジットカード４０が排出される（Ｓ１８）。
【００３９】
図４は、クレジットカード紛失時のＩＣカードとクレジットカードの相互認証システムを説明する図である。また、図５は、クレジットカード紛失時のユーザ端末処理フローである。以下、これらを参照しながらユーザ端末１０を使用したＩＣカード５０とクレジットカード４０の相互認証システム（以下、システムと称する。）１００の構成及び動作を説明する。
【００４０】
紛失したクレジットカード４０に対応付けられたＩＣカード５０を券売機１０の投入口に挿入すると、当該ＩＣカード５０が検知され（Ｓ２０（読取手段）、図４（ａ））、当該クレジットカード５０の暗証番号（パスワード）の入力指示（Ｓ２1）に基づいて当該暗証番号が入力されると、当該ＩＣカードの情報がＩＣカードサーバ２０に送信される（Ｓ２４（第１の送信工程）、図４（ｂ））。
【００４１】
ＩＣカードサーバ２０は、入力されたＩＣカード情報とクレジットカード５０の暗証番号に基づき対応するクレジットカード情報を券売機１０に送信する（送信工程、Ｓ２５、図４（ｃ））。
【００４２】
券売機１０は、ＩＣカードサーバ２０から受信したクレジットカード情報及び入力されたクレジットカード５０の暗証番号をクレジットカードサーバ３０に送信する。（Ｓ２６（第２の送信工程）、図４（ｄ））。
【００４３】
クレジットカードサーバ３０は、券売機１０から受信したクレジットカード情報及び暗証番号の本人確認を行い、その結果を券売機１０に送信する（送信工程、図４（ｅ））。
【００４４】
券売機１０は、クレジットカードサーバ３０から本人確認の結果を受信する（Ｓ２７）。券売機１０は、クレジットカードサーバ３０から受信した本人確認がＯＫであれば（Ｓ２８のＯＫ）、紛失クレジットに対する手続選択画面を表示し（手続選択画面表示工程、Ｓ２９）、「緊急連絡先情報取得」釦が押下された場合、紛失クレジットカードに関する下記（１）〜（３）の緊急連絡先を印刷（プリントアウト）する（緊急連絡先情報取得処理工程、Ｓ３１）。  
（１）電話番号
（２）クレジットカード紛失時の対応を記載したＵＲＬ
（３）上記（１）及び（２）に関する２次元バーコード
また、ステップＳ２９に示す手続選択画面で「使用停止手続」釦が押下された場合、クレジットカードサーバ３０に対して使用停止申請を行う（使用停止申請処理工程、Ｓ３２）。
【００４５】
以上示した一連の処理が終了した場合は、券売機１０に挿入したＩＣカードを排出する。
【００４６】
以上説明したように本発明の実施例によれば、対応付けられたＩＣカードとクレジットカードのいずれか一方のカードを紛失した場合であっても、他方のカードを用いて利用停止処理又は再発行手続処理などの手続を迅速に行うことが可能になり、被害の拡大を防止することができる。
【符号の説明】
【００４７】
１０  ユーザ端末（券売機）
２０  ＩＣカードサーバ
３０  クレジットカードサーバ
４０  クレジットカード
５０  ＩＣカード
【図１】
2011248523.tif 000003
【図２】
2011248523.tif 000004
【図３】
2011248523.tif 000005
【図４】
2011248523.tif 000006
【図５】
2011248523.tif 000007